(57)【特許請求の範囲】
【請求項１】
オイルフェンスや汚濁防止膜などの浮沈式フェンス類の端部を、水底から水面上に上端部が突出するように立設したガイド支柱に昇降自在に支持するためのフェンス類の係留装置において、
前記ガイド支柱の外周面に沿って上下方向に移動自在に装着され、前記フェンス類の一端部が着脱自在に連接されるスライダーを円周方向で二つに分割するとともに、少なくとも一側方の各分割線に沿って相対向する板状の接続用突出片を外方へ張り出して設け、一対の前記接続用突出片を接合しこれらを厚み方向に一連に貫通する複数本のボルト・ナット等の着脱可能な緊締具により取り外し可能に一体に接合し、前記スライダーの下面に緩衝具が下向きに突設されていることを特徴とするフェンス類の係留装置。
【請求項２】
前記フェンス類の一端部を前記スライダーに連結したコネクターに着脱自在に連接した請求項１記載のフェンス類の係留装置。
【請求項３】
前記フェンス類の一端部を前記接続用突出片間に挟持し、両突出片およびフェンス類端部を厚み方向に一連に貫通する複数本の前記緊締具により着脱可能に連接した請求項１記載のフェンス類の係留装置。
【請求項４】
分割された前記各スライダー部の一側を開閉可能に連結し、各スライダー部の他側方にだけ前記接続用突出片を設けた請求項１記載のフェンス類の係留装置。
【請求項５】
分割された前記各スライダー部の上端面および下端面に、ガイドローラーを前記ガイド支柱の外周面に添接可能に内方へ一部を突出させ横向きの支軸により回転可能に設けた請求項１記載のフェンス類の係留装置。
【請求項６】
前記スライダーは上下両端を開口した円筒体で、分割された前記各スライダー部の一部に半円筒状の浮力体を一体に備えている請求項１又は請求項５記載のフェンス類の係留装置。
【請求項７】
前記スライダーは上下両端を開口した円筒体で、分割された前記各スライダー部の半円筒状外周壁に上下方向に間隔をあけて外方へ突出する複数の補強用リブを円周方向に形成している請求項１又は請求項５記載のフェンス類の係留装置。
【請求項８】
前記ガイド支柱が円柱状でその円周方向の一部に半径方向外方へ張り出す回止め片を上下方向に連続して突設し、該回止め片側で分割された前記各スライダー部の一端をそれぞれ開放し、回止め片の反対側で前記各スライダー部の前記接続用突出片により前記フェンス類の一端部を挟持し、両接続用突出片およびフェンス類端部を厚み方向に一連に貫通する複数本の前記緊締具により取り外し可能に一体に接合する請求項１〜７のいずれかに記載のフェンス類の係留装置。
【発明の詳細な説明】
【０００１】
【発明の属する技術分野】
この発明は、海面上に浮遊するオイルが特定の海域に浸入するのを防止するオイルフェンスや水中の汚濁を防止するための水中汚濁防止膜などのフェンス類の端部を昇降自在に支持するためのフェンス類の係留装置に関するものである。
【０００２】
【従来の技術】
上記したフェンス類の係留装置は、一般的に、たとえば特開平１１−１００８３１号公報に従来技術として記載されているように、スリットを有するスライドパイプ内に円筒状フロートが昇降自在に挿入され、このフロートにスリットを通してフェンス類の端部が接続された構造からなっており、また同公報に発明にかかる装置として記載されているように、岸壁等に鉛直方向に固定される金属製のスライドレールに金属製のスライダーが昇降自在に係合され、スライダーにはヒンジを介して円筒状フロートが接続され、フロートの母線に沿って突片が突設され、この突片にフェンス類の端部が押え板により固定された構造の係留装置が提案されている。
【０００３】
【発明が解決しようとする課題】
しかしながら、上記した従来の一般的な係留装置では、次のような点で改良すべき余地がある。すなわち、
▲１▼  スライドパイプ内の円筒状フロートを取り出したり、スライドレールに係合するスライダーを取り外したりする場合に、スライドパイプあるいはスライドレールの水面上方に突出する上端よりもかなり上方に引き上げ、完全に抜き出す必要があった。
【０００４】
▲２▼  水面上方へ引き上げるには、かなりの力を要するために船上での作業は時間がかかり、とくに海が荒れて波が高いときの作業は危険で困難であった。
【０００５】
この発明は上述の点に鑑みなされたもので、ガイド支柱からスライダーを比較的短時間で容易に取り外したりガイド支柱に取り付けたりでき、スライダーに対するフェンス類の端部の着脱も簡単に行えるフェンス類の係留装置を提供しようとするものである。
【０００６】
【課題を解決するための手段】
上記の目的を達成するためにこの発明にかかるフェンス類の係留装置は、オイルフェンスや汚濁防止膜などの浮沈式フェンス類の端部を、水底から水面上に上端部が突出するように立設したガイド支柱に昇降自在に支持するためのフェンス類の係留装置において、前記ガイド支柱の外周面に沿って上下方向に移動自在に装着され、前記フェンス類の一端部が着脱自在に連接されるスライダーを円周方向で二つに分割するとともに、少なくとも一側方の各分割線に沿って相対向する板状の接続用突出片を外方へ張り出して設け、一対の前記接続用突出片を接合しこれらを厚み方向に一連に貫通する複数本のボルト・ナット等の着脱可能な緊締具により取り外し可能に一体に接合し、前記スライダーの下面に緩衝具が下向きに突設されていることを特徴としている。
【０００７】
上記の構成を有する本発明の係留装置によれば、ガイド支柱に沿ってスライダーを現状の位置であるいは上方に引き上げ、スライダーの一部を水面から上方へ突出させた状態で、ナットを緩めてボルトから取り外してボルトを引き抜き、フェンス類の端部を挟持している接続用突出片を開放する。これにより、スライダーの上部あるいは全体を分割できるので、そのままであるいはスライダーを少しずつ上方に引き上げ同様の作業を繰り返すことによって二つに分割することができる。したがって、スライダーをガイド支柱の上端からそれほど上方へ引き上げなくても、ガイド支柱からスライダーを取り外すことができる。
【０００８】
一方、スライダーをガイド支柱に装着する場合には、分割したスライダー部の相対向する接続用突出片を接合してボルト・ナットにて締め付けた状態で、従来のスライダーと同様にガイド支柱の上方からガイド支柱の周囲に被せるように装着することができるほか、上記したスライダーの取り外し時の作業手順と逆の手順で分割したスライダーでガイド支柱の周囲を取り囲み、両側の接続用突出片を下部側から上部側へかけてボルト・ナットで固定する作業を複数回繰り返すことにより、接合することもできる。
【０００９】
このため、ガイド支柱に対するスライダーの取り付けおよび取り外しの各作業が状況に応じ選択して行え、作業が従来に比べて容易にかつ短時間でできる。
【００１０】
請求項２に記載のように、前記フェンス類の一端部を前記スライダーに連結したコネクターに着脱自在に連接したり、あるいは、請求項３に記載のように、前記フェンス類の一端部を前記接続用突出片間に挟持し、両突出片およびフェンス類端部を厚み方向に一連に貫通する複数本の前記緊締具により着脱可能に連接したりできる。
【００１１】
請求項２記載の係留装置では、スライダーに対するフェンス類の着脱はコネクターを介して行うので、ガイド支柱からのスライダーの着脱とは関係なく行える。一方、請求項３記載の係留装置では、スライダーを現状位置であるいはガイド支柱の上方へ引き上げて接続用突出片を上部側から下部側へわたって開放する際に、フェンス類の端部を全部あるいは部分的にスライダーから引き出せる。この結果、スライダーの重量が軽くなり、スライダーは浮上するから、上記と同様の作業を繰り返すことにより、スライダーの開放と同時にフェンス類をスライダーから簡単に離脱させることができる。またスライダーをガイド支柱に装着する際に、接合する接続用突出片間でフェンス類の端部を段階的に挟むようにしてスライダーに取り付ける。
【００１２】
請求項４に記載のように、分割された前記各スライダー部の一側を開閉可能に連結し、各スライダー部の他側方にだけ前記接続用突出片を設けることができる。
【００１３】
請求項４記載の係留装置によると、ガイド支柱に対するスライダーの着脱作業の際に、スライダーの一方の接続用突出片の緊締具を取り外したり取り付けたりするだけで着脱できるので、着脱作業が簡単で作業時間も大幅に短縮される。
【００１４】
請求項５に記載のように、分割された前記各スライダー部の上端面および下端面に、ガイドローラーを前記ガイド支柱の外周面に添接可能に内方へ一部を突出させ横向きの支軸により回転可能に設けることができる。
【００１５】
請求項５記載の係留装置によれば、各スライダー部の上下のガイドローラーがガイド支柱に添接され、スライダーの内周面とガイド支柱の外周面とに一定の隙間が設けられた状態で、ガイドローラーが回転することによりスライダーがガイド支柱に沿って上下方向にスムーズに移動する。
【００１６】
請求項６に記載のように、前記スライダーは上下両端を開口した円筒体で、分割された前記各スライダー部の一部に半円筒状の浮力体を一体に備えることができる。
【００１７】
請求項６記載の係留装置によれば、スライダーが浮力体を備えるから、接続するフェンス類の端部に浮力体を取り付けておかなくても、必要かつ十分な浮力をもつ。このため、水中でスライダーを二分割してガイド支柱から取り外したり分割したスライダー部を結合してガイド支柱に取り付けたりする作業が容易に行い得る。なお、浮力体を給排気可能な構造にすれば、スライダーの浮力を任意に調整でき、また沈下も容易にできるので、いっそう便利である。
【００１８】
請求項７に記載のように、前記スライダーは上下両端を開口した円筒体で、分割された前記各スライダー部の半円筒状外周壁に上下方向に間隔をあけて外方へ突出する複数の補強用リブを円周方向に形成していてもよい。
【００１９】
請求項７記載の係留装置によれば、スライダーを小型化および軽量化できるので、水面上に引き上げ分割してガイド支柱から取り外したり、分割したスライダー部を水面上に引き上げた状態で連結し、ガイド支柱に取り付ける作業が容易に行い得る。なお、スライダーに接続するフェンス類の端部には、浮力体を取り付けてスライダーの浮上を補助することが好ましい。
【００２０】
請求項８に記載のように、前記ガイド支柱が円柱状でその円周方向の一部に半径方向外方へ張り出す回止め片を上下方向に連続して突設し、該回止め片側で分割された前記各スライダー部の一端をそれぞれ開放し、回止め片の反対側で前記各スライダー部の前記接続用突出片により前記フェンス類の一端部を挟持し、両接続用突出片およびフェンス類端部を厚み方向に一連に貫通する複数本の前記緊締具により取り外し可能に一体に接合することができる。
【００２１】
請求項８記載の係留装置によれば、スライダーの一側にだけフェンス類を接続する場合に、フェンス類が長手方向と直交する方向に流されるなどして移動しようとすると、スライダーの開放端部がガイド支柱の一部から外方に張り出す回止め片に当接し、スライダーの回転が阻止され、フェンス類の移動も阻止される。
【００２２】
【発明の実施の形態】
以下、この発明にかかるフェンス類の係留装置の実施の形態を図面に基づいて説明する。
【００２３】
図１は本発明の実施例にかかるオイルフェンス用係留装置を示す斜視図、図２（ａ）は図１の係留装置を示す平面図で、図２（ｂ）はオイルフェンス用係留装置のうち浮沈式オイルフェンスの一部を省略して示す正面展開図である。
【００２４】
図１および図２に示すように、係留装置１は円柱状のガイド支柱２を備え、このガイド支柱２が水底から水面上に上端部が突出するように立設されている。ガイド支柱２の周囲には、円筒状のスライダー３が遊嵌され、上下方向に昇降自在に被装されている。スライダー３は、円周方向で二分割した半円筒形の鋼管製分割スライダー部３Ａの両側縁に、板状の接続用突出片３ｃ・３ｄをそれぞれ側方に張り出して一体に突設し、また半円筒状鋼管製フロート３ｂを各分割スライダー部３Ａの外周面にその下端から上部にかけて一体に形設している。フロート３ｂは中空体で、内部にエアが密封されている。つまり、スライダー３は外径の小さい小円筒部３ａと外径の大きい大円筒部３ｂとを上下二段に連設した形状からなり、大円筒部３ｂは中空の環状円筒体からなり、浮力体（フロート）に構成されている。円周方向で二分割され、各分割スライダー部３Ａの両側の分割線に沿って板状の接続用突出片３ｃ・３ｄが側方に張り出し相対向して設けられている。上下の各接続用突出片３ｃ・３ｄは、本例ではそれぞれ一体に連続して形成され、厚み方向に一連に貫通する複数の取付孔（不図示）が穿設され、各取付孔に緊締具としてのボルト・ナット９が嵌着されている。この場合、ナットは相対向する一方の接続用突出片３ｃ・３ｄの取付穴の位置に固着しておくとよい。
【００２５】
また、各スライダー部３Ａの上端面および下端面には、それぞれ一対のガイドローラー４が円周方向に間隔をあけ、ガイド支柱２の外周面に添接可能に半径方向内方へ一部を突出させて横向きの支軸４ａにより回転可能に取付金具４ｂを介して配設されている。さらに各スライダー部３Ａの下端面には、緩衝具５が一対のガイドローラー４の間において下向きに突設されている。そのほか、各スライダー部３Ａの下端面には、一対の緩衝具６がそれぞれガイドローラー４の外側にも下向きに突設されている。
【００２６】
スライダー３の両側には、浮沈式オイルフェンス７の一端がアダプター８およびコネクター１０を介して接続されている。オイルフェンス７は、それぞれ所定深さの帯状体７ａを備え、帯状体７ａの深さ方向の中間位置においてエアチューブ（空洞部）７ｂが長さ方向に沿って一体に形成されている。帯状体７ａは、たとえばゴム材を含浸させた布材から形成され、帯状体７ａの下部に長さ方向に沿って多数のウエイト７ｗが間隔をあけて取着されている。
【００２７】
また、オイルフェンス７のエアチューブ７ｂの両端又は一端は、対応するアダプター８の給排気路８ａに接続されるが、各給排気路８ａの下部には給排気エアホースの取付口８ｃが設けられており、各取付口８ｃには給排気管（エアホース）の一端が取着される。
【００２８】
本例のコネクター１０にはフレキシブルコネクターが使用されており、弾性体としての一定の厚みを有するゴム板からなるフレキシブルコネクター１０の一端が金属製の連結具１０ａによりアダプター８に連結されており、このフレキシブルコネクター１０の他端がスライダー３の一端に連接された接続用突出片３ｃ・３ｄ間に挟持され連結されている。このため、たとえば波風を受けて金属製アダプター８とオイルフェンス７との間が屈曲したときには空気通路が遮断されるので、オイルフェンス７のエアチューブ７ｂに対する給排気が不可能になったりオイルフェンス７が破損したりすることがあるが、そのようなおそれがない。
【００２９】
次に、図３（ａ）（ｂ）は係留装置の他の実施例を示す平面図および正面視展開図である。
【００３０】
本例の係留装置１’は、スライダー３’が上端から下端にかけて同一の内外径からなる鋼管製円筒体で形成され、円筒体の外周面には上下方向に間隔をあけて複数のリブ３ｆを設けて補強しており、浮力体は備えていない。上記実施例と同様に円周方向で等間隔に二分割され、両側の分割線に沿って板状の接続用突出片３ｃがそれぞれ側方に張り出して設けられている。上端面および下端面に一対のガイドローラー４が配設され、また下端面に緩衝具５および一対の緩衝具６が配設されているところは共通している。本例の係留装置１’は小型化・軽量化を図ったもので、浮力体を省いていることから、接続用突出片３ｃ間に挟持して接続されるオイルフェンス７や汚濁防止用膜（不図示）の端部に補助浮力体１１を設けることが望ましい。補助浮力体１１には図３のような樹脂製発泡体のほか、たとえば金属製の中空体が使用される。なお、図示は省略するが、上下方向の複数のリブ３ｆとリブ３ｆの間のスペースに浮力体を設けることも可能で、この場合には補助浮力体１１はとくに必要としない。
【００３１】
図４（ａ）（ｂ）は係留装置の他の実施例を示す平面図および正面視展開図である。
【００３２】
本例の係留装置１”は、基本的には上記第２実施例の係留装置１’に共通するものであるが、次の点が相違する。すなわち、ガイド支柱２が円周方向の一部に半径方向外方に突出する回止め片２ａが円周方向の一部に上下方向に沿って一体に設けられており、円筒状のスライダー３”は一側に設けられた接続用突出片３ｃと反対側で円周方向の一部３ｇが上下方向にわたり開放され、この開放部３ｇが回止め片２ａを挟むように配置されている。本例の係留装置１”も小型化・軽量化を図ったもので、浮力体を省いていることから、接続用突出片３ｃ間に挟持して接続されるオイルフェンス７や汚濁防止用膜（不図示）の端部に補助浮力体１１が設けられる。なお、上端面および下端面に一対のガイドローラー４が配設され、また下端面に緩衝具５および一対の緩衝具６が配設されているところは、上記各実施例の係留装置１・１’と共通している。
【００３３】
次に、図５（ａ）（ｂ）は係留装置の他の実施例を示す平面図および正面視展開図である。
【００３４】
本例の係留装置１−１は、オイルフェンス７などのフェンス類が接続用突出片３ｃ・３ｄ間ではなく、スライダー３の大円筒部（フロート）３ｂの周壁に溶接等により固設されたアダプター８に着脱可能に接続される。そして、スライダー３は半円筒形の分割スライダー部３Ａに二分割され、図５（ａ）のようにガイド支柱２を取り囲むように両側の接続用突出片３ｃ・３ｄを接合し、ボルトナットなどの緊締具９により固定される。
【００３５】
図６（ａ）（ｂ）および図７（ａ）（ｂ）はそれぞれ係留装置の他の実施例を示す平面図および正面視展開図で、図６は接合状態、図７は開放状態である。
【００３６】
本例の係留装置１−２は、スライダー３は上下方向全体にわたり浮力体（フロート）が付設され大円筒部３ｂに形成されている。また半円筒形の分割スライダー部３Ａの一方の接続用突出片３ｄをヒンジ機構１２により開閉可能に連結し、他方の接続用突出片３ｄを接合し、緊締具９により固定して連結する構造からなる。なお、ヒンジ機構１２側の接続用突出片３ｄも緊締具９により緊締することにより、強い波風を受けても一対の分割スライダー部３Ａが開放しないようにしている。そのほか、上記実施例（とくに図５）と共通の構成部材には同一の番号を付して示し、説明を省略する。
【００３７】
以上に本発明の係留装置について複数の実施例を挙げて説明したが、下記のように実施することができる。たとえば、円柱状のガイド支柱２に代えて断面Ｈ形やＴ形のガイド支柱を使用し、ガイド支柱の断面形状に対応する断面鉤形のスライダーを使用しても同様に実施できる。
【００３８】
【発明の効果】
以上説明したことから明らかなように、本発明の係留装置には、次のような優れた効果がある。
【００３９】
１）ガイド支柱からスライダーを比較的短時間で容易に取り外したりガイド支柱に取り付けたりでき、スライダーに対するフェンス類の端部の着脱も簡単に行える。
【００４０】
とくに、ガイド支柱に対するスライダーの取り付けおよび取り外しの各作業が状況に応じ選択して行え、作業が従来に比べて容易にかつ短時間でできる。
【００４１】
２）請求項２記載の発明では、スライダーに対するフェンス類の着脱はコネクターを介して行うので、ガイド支柱からのスライダーの着脱とは関係なく行え、スライダーの着脱が容易である。
【００４２】
３）請求項３記載の発明では、ガイド支柱へのスライダーの着脱とスライダーに対するフェンス類の着脱とを同時に行える。
【００４３】
４）請求項４記載の発明では、ガイド支柱に対するスライダーの着脱作業の際に、スライダーの一方の接続用突出片の緊締具を取り外したり取り付けたりするだけで着脱できるので、着脱作業が簡単で作業時間も大幅に短縮される。
【００４４】
５）請求項５記載の発明では、スライダーの上下のガイドローラーがガイド支柱に添接され、スライダーの内周面とガイド支柱の外周面とに一定の隙間が設けられた状態で、ガイドローラーが回転することによりスライダーがガイド支柱に沿って上下方向にスムーズに移動する。
【００４５】
６）請求項６記載の発明では、スライダーが浮力体を備えるから、接続するフェンス類の端部に浮力体を取り付けておかなくても、必要かつ十分な浮力をもつので、水中でスライダーを二分割してガイド支柱から取り外したり分割したスライダー部を結合してガイド支柱に取り付けたりする作業が容易に行い得る。
【００４６】
７）請求項７記載の発明では、スライダーを小型化および軽量化できるので、水面上に引き上げ分割してガイド支柱から取り外したり、分割したスライダー部を水面上に引き上げた状態で連結し、ガイド支柱に取り付ける作業が容易に行い得る。
【００４７】
８）請求項８記載の発明では、スライダーの一側にだけフェンス類を接続する場合に、フェンス類が長手方向と直交する方向に流されるなどして移動しようとすると、スライダーの開放端部がガイド支柱の一部から外方に張り出す回止め片に当接し、スライダーの回転が阻止され、フェンス類の移動も阻止される。
【図面の簡単な説明】
【図１】本発明の実施例にかかるオイルフェンス用係留装置を示す斜視図である。
【図２】図２（ａ）は図１の係留装置を示す平面図で、図２（ｂ）はオイルフェンス用係留装置のうち浮沈式オイルフェンスの一部を省略して示す正面展開図である。
【図３】図３（ａ）（ｂ）は係留装置の他の実施例を示す平面図および正面視展開図である。
【図４】図４（ａ）（ｂ）は係留装置の他の実施例を示す平面図および正面視展開図である。
【図５】図５（ａ）（ｂ）は係留装置の他の実施例を示す平面図および正面視展開図である。
【図６】図６（ａ）（ｂ）は係留装置の他の実施例を示す接合状態における平面図および正面視展開図である。
【図７】図７（ａ）（ｂ）は図６の係留装置の開放状態における平面図および正面視展開図である。
【符号の説明】
１・１’・１”・１−１・１−２  係留装置
２  ガイド支柱
３・３’・３”  スライダー
３Ａ  分割スライダー部
３ａ  小円筒部
３ｂ  大円筒部（フロート）
３ｃ・３ｄ  突出片
４  ローラー
５・６  緩衝具
７  オイルフェンス
９  ボルト・ナット（緊締具）
【図１】
0004636732.tif 000002
【図２】
0004636732.tif 000003
【図３】
0004636732.tif 000004
【図４】
0004636732.tif 000005
【図５】
0004636732.tif 000006
【図６】
0004636732.tif 000007
【図７】
0004636732.tif 000008